(57)【要約】    【課題】  利便性を向上させることができるデジタルカメラを提供する。    【解決手段】  ＣＣＤ１４により被写体像を示す画像情報を取得して記録メディア４３に記録するに際し、予め定められた種類の生体情報としての網膜パターンと当該生体情報に対応する使用者により予め定められたパラメータ情報とを対応付けして予め記憶しておき、前記予め定められた種類の生体情報を生体情報検出センサ９８により検出し、検出された前記生体情報と記憶された前記生体情報とを比較して、検出された前記生体情報が第１メモリ３８に記憶されているか否かを判定すると共に、記憶されていると判定された場合、当該生体情報に対応付けされて記憶されている前記パラメータ情報に応じてパラメータを設定する。    【選択図】  図２
2005236794.tif 000002
【特許請求の範囲】
【請求項１】
撮像素子により被写体像を示す画像情報を取得して記録媒体に記録するデジタルカメラであって、
予め定められた種類の生体情報と当該生体情報に対応する使用者により予め定められたパラメータ情報とが対応付けされて予め記憶された記憶手段と、
前記予め定められた種類の生体情報を検出するための検出手段と、
検出された前記生体情報と記憶された前記生体情報とを比較して、検出された前記生体情報が前記記憶手段に記憶されているか否かを判定する判定手段と、
前記判定手段により記憶されていると判定された場合、当該生体情報に対応付けされて記憶されている前記パラメータ情報に応じてパラメータを設定する設定手段と、
を備えたデジタルカメラ。
【請求項２】
前記記憶手段を、前記生体情報と対応付けされて予め許可された動作を示す情報がさらに記憶されたものとし、
前記判定手段により記憶されていると判断された場合、前記予め許可された動作のみが実行できるように制御する制御手段を更に備えた請求項１記載のデジタルカメラ。
【請求項３】
前記制御手段を、前記判定手段により、記憶されていないと判断された場合は、予め定められた動作のみを実行できるようにするものとし、
前記設定手段を、前記判定手段により、記憶されていないと判断された場合は、予め定められたパラメータを設定するものとした、
請求項１又は請求項２記載のデジタルカメラ。
【請求項４】
前記予め定められた種類の生体情報を、網膜パターン、虹彩パターン、指紋及び声紋の少なくとも１つを示す情報とした請求項１乃至請求項３の何れか１項記載のデジタルカメラ。
【請求項５】
前記記憶手段を、カメラ本体に着脱可能なものとした請求項１乃至請求項４の何れか１項記載のデジタルカメラ。
【発明の詳細な説明】
【技術分野】
【０００１】
本発明は、撮像素子により被写体像を示す画像情報を取得して記録媒体に記録するデジタルカメラに関する。
【背景技術】
【０００２】
近年、ＣＣＤ（Charge Coupled Device、電荷結合素子）、ＣＭＯＳ（Complementary Metal Oxide Semiconductor）イメージ・センサ等の撮像素子の高解像度化及び装置の小型・軽量化に伴ない、デジタルカメラが広く普及している。
【０００３】
この種のデジタルカメラを家族単位や会社単位で所有し、複数の使用者がデジタルカメラを共有して使用することもよくある。このような場合、使用者によって使用時の設定も異なる傾向にあり、使用者が替わる度にデジタルカメラの設定を行なってから使用しなければならない。この設定作業を迅速に行なうためには、直前の使用者の設定を把握しておく必要があり、手間がかかり、面倒である。
【０００４】
一方、この種のデジタルカメラでは、誰でも簡単に撮影した画像を再生して見ることができるため、プライバシー保護の観点から使用者を制限する技術が提案されている。
【０００５】
例えば、従来、カメラ毎に使用を許可する者を特定でき、許可されたＩＤを持つ使用者のみがカメラを使用できるようにすることを目的として、カメラの使用を許可する使用者のＩＤ情報を予め記憶しておき、カメラの使用時に使用者のＩＤ情報を読み取り、読み取ったＩＤ情報と予め記憶したＩＤ情報とを比較照合して照合結果が一致したときのみカメラを使用可能にした技術があった（例えば、特許文献１参照。）。
【０００６】
また、デジタルカメラ本体を、登録された撮影者のみが撮影可能で、第３者の不正使用を確実に防止することを目的として、シャッターボタンに指紋情報を検出する生体情報検出手段を設けると共に、デジタルカメラ本体に装着する認証カードに生体登録情報メモリを設け、これに撮影者の暗号化指紋情報を登録しておき、生体検出手段から出力される指紋情報を暗号化して認証カードに入力し、認証カードでは、入力された暗号化指紋情報とメモリに記録された暗号化指紋情報と比較照合して、両者が一致したときに撮影者を表わす認証情報を暗号化回路に出力することにより、被写体画像情報に認証情報を付加して画像メモリに記憶するようにした技術があった（例えば、特許文献２参照。）。
【特許文献１】特開２０００−１４７６２３公報
【特許文献２】特開２００２−５７８２８公報
【発明の開示】
【発明が解決しようとする課題】
【０００７】
しかしながら、上記特許文献１及び特許文献２に記載の技術では、上述したような設定作業をサポートすることについては記載がなく、設定作業の手間を省くことができない。
【０００８】
また、上記特許文献１及び特許文献２に記載の技術によれば、カメラを利用するためには登録や認証カードの所有が必須となっており、他の使用者はカメラを使用することが全くできない又は撮影を行えないことになる。
【０００９】
よって、従来の技術によれば、プライバシーは保護されるものの、利便性が低い、という問題点があった。
【００１０】
本発明は上記問題点を解決するためになされたものであり、利便性を向上させることができるデジタルカメラを提供することを目的とする。
【課題を解決するための手段】
【００１１】
上記目的を達成するために、請求項１記載のデジタルカメラは、撮像素子により被写体像を示す画像情報を取得して記録媒体に記録するデジタルカメラであって、予め定められた種類の生体情報と当該生体情報に対応する使用者により予め定められたパラメータ情報とが対応付けされて予め記憶された記憶手段と、前記予め定められた種類の生体情報を検出するための検出手段と、検出された前記生体情報と記憶された前記生体情報とを比較して、検出された前記生体情報が前記記憶手段に記憶されているか否かを判定する判定手段と、前記判定手段により記憶されていると判定された場合、当該生体情報に対応付けされて記憶されている前記パラメータ情報に応じてパラメータを設定する設定手段と、を備えている。
【００１２】
本発明に係るデジタルカメラによれば、撮像素子により被写体像を示す画像情報を取得して記録媒体に記録する。
【００１３】
なお、上記撮像素子としては、ＣＣＤ、ＣＭＯＳイメージ・センサ等の電荷転送型の固体撮像素子を適用することができる。
【００１４】
ここで、本発明に係るデジタルカメラでは、予め定められた種類の生体情報と当該生体情報に対応する使用者により予め定められたパラメータ情報とが対応付けされて予め記憶手段に記憶され、前記予め定められた種類の生体情報が検出手段により検出され、検出された前記生体情報と記憶された前記生体情報とを比較して、検出された前記生体情報が前記記憶手段に記憶されているか否かが判定手段により判定されて、前記判定手段により記憶されていると判定された場合、当該生体情報に対応付けされ記憶されている前記パラメータ情報に応じて設定手段によりパラメータが設定される。
【００１５】
すなわち、本発明に係るデジタルカメラでは、使用者の生体情報と、当該使用者が設定したいパラメータとを対応付けして予め記憶しておき、検出された生体情報と予め記憶されている生体情報とを比較して、検出された生体情報が記憶手段に記憶されているか否かを判定し、検出された生体情報が予め記憶手段に記憶されていると判定された場合、当該生体情報に対応付けされて記憶手段に記憶されたパラメータを設定するようにしている。
【００１６】
これにより、使用者は、使用する度にパラメータの設定を行なう必要がなく、すぐにデジタルカメラを使用することができるので、利便性が向上する。
【００１７】
なお、上記記録媒体には、スマートメディア、コンパクトフラッシュ（Ｒ）、ＡＴＡ（AT Attachment）カード、フロッピィディスク、ＣＤ−Ｒ（Compact Disk-Recordable）、ＣＤ−ＲＷ（Compact Disk-ReWritable）、光磁気ディスク、マイクロドライブ等のあらゆる可搬型の記録媒体及びハードディスク等の内蔵型の記録媒体が含まれる。
【００１８】
このように、請求項１記載のデジタルカメラは、撮像素子により被写体像を示す画像情報を取得して記録媒体に記録するに際し、予め定められた種類の生体情報と当該生体情報に対応する使用者により予め定められたパラメータ情報とを対応付けして予め記憶しておき、前記予め定められた種類の生体情報を検出し、検出された前記生体情報と記憶された前記生体情報とを比較して、検出された前記生体情報が前記記憶手段に記憶されているか否かを判定すると共に、記憶されていると判定された場合、当該生体情報に対応付けされて記憶されている前記パラメータ情報に応じてパラメータを設定するようにしているので、利便性を向上させることができる。
【００１９】
なお、本発明は、請求項２記載の発明のように、前記記憶手段を、前記生体情報と対応付けされて予め許可された動作を示す情報がさらに記憶されたものとし、前記判定手段により記憶されていると判断された場合、前記予め許可された動作のみが実行できるように制御する制御手段を更に備えた構成とすることもできる。これにより、使用者毎に実行可能な動作を限定することができ、利便性を向上させるだけでなく、プライバシーを保護することができる。
【００２０】
また、本発明は、請求項３に記載の発明のように、前記制御手段を、前記判定手段により、記憶されていないと判断された場合は、予め定められた動作のみを実行できるようにするものとし、前記設定手段を、前記判定手段により、記憶されていないと判断された場合は、予め定められたパラメータを設定するものとすることもできる。これにより、予め定められた動作に限っては、生体情報を記憶手段に記憶させていない人物も使用することができるので、使用する人物全員の生体情報を記憶しておく必要がなく、生体情報及び対応付けされた情報を記憶する手間やこれらの情報の記憶容量が少なくて済み、利便性が向上する。
【００２１】
さらに、本発明は、請求項４に記載の発明のように、前記予め定められた種類の生体情報を、網膜パターン、虹彩パターン、指紋及び声紋の少なくとも１つを示す情報とすることができる。
【００２２】
なお、これらの生体情報を数種類組み合わせて適用することにより、精度よく使用者の設定を行うことができることは言うまでもない。
【００２３】
また、本発明は、請求項５に記載の発明のように、前記記憶手段を、カメラ本体に着脱可能なものとして構成してもよい。これにより、デジタルカメラ本体に備えられたメモリ等の記憶容量を使用せずに生体情報等を記憶させることができるので、利便性が更に向上する。また、記憶手段に生体情報が記憶された使用者のみが当該記憶手段を使用することが可能となるため、当該記憶手段に記憶された画像情報の守秘性も向上させることができる。
【発明の効果】
【００２４】
以上説明したように、本発明に係るデジタルカメラは、撮像素子により被写体像を示す画像情報を取得して記録媒体に記録するに際し、予め定められた種類の生体情報と当該生体情報に対応する使用者により予め定められたパラメータ情報とを対応付けして予め記憶しておき、前記予め定められた種類の生体情報を検出し、検出された前記生体情報と記憶された前記生体情報とを比較して、検出された前記生体情報が前記記憶手段に記憶されているか否かを判定すると共に、記憶されていると判定された場合、当該生体情報に対応付けされて記憶されている前記パラメータ情報に応じてパラメータを設定するようにしているので、利便性を向上させることができる、という優れた効果を有する。
【発明を実施するための最良の形態】
【００２５】
以下、図面を参照して、発明を実施するための最良の形態について詳細に説明する。
【００２６】
まず、図１を参照して、本実施の形態に係るデジタルカメラ１０の外観上の構成を説明する。同図に示すように、デジタルカメラ１０の正面には、各々被写体像を結像させるためのレンズ１２と、撮影する被写体の構図を決定するために用いられるファインダ７０と、が備えられている。
【００２７】
また、デジタルカメラ１０の上面には、撮影を実行する際に撮影者によって押圧操作されるレリーズボタン（所謂シャッター）５２Ａと、電源スイッチ５２Ｅと、が備えられている。
【００２８】
なお、本実施の形態に係るレリーズボタン５２Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００２９】
そして、本実施の形態に係るデジタルカメラ１０では、レリーズボタン５２Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３０】
一方、デジタルカメラ１０の背面には、前述のファインダ７０の接眼部と、撮影によって得られたデジタル画像データにより示される被写体像や各種メニュー画面、メッセージ等を表示するための液晶ディスプレイ（以下、「ＬＣＤ」という。）３０と、撮影を行うモードである撮影モード及び撮影によって得られたデジタル画像データにより示される被写体像をＬＣＤ３０に表示（再生）するモードである再生モードの何れかのモードに設定するために操作されるモード切替スイッチ５２Ｂと、十字カーソルボタン５２Ｃと、撮影時に被写体像のズーミング（拡大及び縮小）を行うときに操作されるズームスイッチ５２Ｄと、が備えられている。
【００３１】
また、十字カーソルボタン５２Ｃは、ＬＣＤ３０の表示領域における上・下・左・右の４方向の移動方向を示す４つの矢印キー及び当該４つの矢印キーの中央部に位置された決定キーの合計５つのキーを含んで構成されている。また、ズームスイッチ５２Ｄは、同図の‘Ｔ’の位置に対応し、かつ被写体像を拡大するときに操作されるテレ・スイッチと、同図の‘Ｗ’の位置に対応し、かつ被写体像を縮小するときに操作されるワイド・スイッチと、により構成されている。
【００３２】
次に、図２を参照して、本実施の形態に係るデジタルカメラ１０の電気系の構成を説明する。
【００３３】
同図に示すように、デジタルカメラ１０は、前述のレンズ１２を含んで構成された光学ユニット１３と、レンズ１２の光軸後方に配設されたＣＣＤ１４と、相関二重サンプリング回路（以下、「ＣＤＳ」という。）１６と、入力されたアナログ信号をデジタルデータに変換するアナログ／デジタル変換器（以下、「ＡＤＣ」という。）１８と、を含んで構成された撮像系を備えている。なお、ＣＣＤ１４の出力端はＣＤＳ１６の入力端に、ＣＤＳ１６の出力端はＡＤＣ１８の入力端に、各々接続されている。
【００３４】
ここで、ＣＤＳ１６による相関二重サンプリング処理は、固体撮像素子の出力信号に含まれるノイズ（特に熱雑音）等を軽減することを目的として、固体撮像素子の１画素毎の出力信号に含まれるフィードスルー成分レベルと画素信号成分レベルとの差をとることにより正確な画素データを得る処理である。
【００３５】
一方、デジタルカメラ１０は、所定容量のラインバッファを内蔵すると共に入力されたデジタル画像データを後述する第２メモリ４０の所定領域に直接記憶させる制御を行う画像入力コントローラ２０と、デジタル画像データに対して各種画像処理を施す画像信号処理回路２２と、所定の圧縮形式でデジタル画像データに対して圧縮処理を施す一方、圧縮処理されたデジタル画像データに対して圧縮形式に応じた形式で伸張処理を施す圧縮・伸張処理回路２４と、デジタル画像データにより示される画像やメニュー画面等をＬＣＤ３０に表示させるための信号を生成してＬＣＤ３０に供給する一方、ＬＣＤ３０に表示させる画像を示す映像信号（本実施の形態では、ＮＴＳＣ信号。）を生成してビデオ出力端子ＯＵＴに出力するビデオ／ＬＣＤエンコーダ２８と、を含んで構成されている。なお、画像入力コントローラ２０の入力端はＡＤＣ１８Ａ及びＡＤＣ１８Ｂの出力端に接続されている。
【００３６】
また、デジタルカメラ１０は、デジタルカメラ１０全体の動作を司るＣＰＵ（中央演算処理装置）３２と、ＡＦ機能を働かせるために必要とされる物理量（本実施の形態では、撮影に用いられているＣＣＤ１４による撮像によって得られた画像のコントラスト値。）を検出するＡＦ検出回路３４と、ＡＥ機能及びＡＷＢ（Automatic White Balance）機能を働かせるために必要とされる物理量（本実施の形態では、撮影に用いられているＣＣＤ１４による撮像によって得られた画像の明るさを示す量（以下、「測光データ」という。）。）を検出するＡＥ・ＡＷＢ検出回路３６と、ＣＰＵ３２による各種処理の実行時のワークエリア等として用いられるＳＤＲＡＭ（Synchronous Dynamic Random Access Memory）により構成された第１メモリ３８と、主として撮影により得られたデジタル画像データを記憶するＶＲＡＭ（Video RAM）により構成された第２メモリ４０と、を含んで構成されている。
【００３７】
更に、デジタルカメラ１０は、スマートメディア（Smart Media(R)）により構成された記録メディア４３をデジタルカメラ１０でアクセス可能とするためのメディアコントローラ４２と、スピーカ７２と、スピーカ７２によって外部に音声情報を出力するための処理を行う音声出力処理部４６と、２系統設けられたマイク（ステレオマイク）とアンプ８４を介して入力された音声情報を示すアナログ信号をデジタルカメラ１０において取り扱うことのできるデジタル音声データに変換する等の処理を行う音声入力処理部８２と、を含んで構成されている。
【００３８】
以上の画像入力コントローラ２０、画像信号処理回路２２、圧縮・伸張処理回路２４、ビデオ／ＬＣＤエンコーダ２８、ＣＰＵ３２、ＡＦ検出回路３４、ＡＥ・ＡＷＢ検出回路３６、第１メモリ３８、第２メモリ４０、メディアコントローラ４２、音声出力処理部４６、及び音声入力処理部８２は、各々システムバスＢＵＳを介して相互に接続されている。
【００３９】
従って、ＣＰＵ３２は、画像入力コントローラ２０、画像信号処理回路２２、圧縮・伸張処理回路２４、及びビデオ／ＬＣＤエンコーダ２８の各々の作動の制御と、ＡＦ検出回路３４及びＡＥ・ＡＷＢ検出回路３６により検出された物理量の取得と、第１メモリ３８、第２メモリ４０、及び記録メディア４３へのアクセスと、音声出力処理部４６を介したスピーカ７２による音声情報の出力と、マイク、アンプ８４及び音声入力処理部８２を介した音声情報の入力と、を各々行うことができる。
【００４０】
一方、デジタルカメラ１０には、主としてＣＣＤ１４を駆動させるためのタイミング信号を生成してＣＣＤ１４に供給するタイミングジェネレータ４８が設けられており、当該タイミングジェネレータ４８の入力端はＣＰＵ３２に、出力端はＣＣＤ１４に、各々接続されており、ＣＣＤ１４の駆動は、タイミングジェネレータ４８を介して制御される。
【００４１】
更に、ＣＰＵ３２はモータ駆動部５０の入力端に接続され、モータ駆動部５０の出力端は光学ユニット１３に備えられた焦点調整モータ、ズームモータ及び絞り駆動モータに接続されている。
【００４２】
すなわち、本実施の形態に係る光学ユニット１３に含まれるレンズ１２は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、焦点調整モータ、ズームモータ及び絞り駆動モータは各々ＣＰＵ３２の制御下でモータ駆動部５０から供給された駆動信号によって駆動される。
【００４３】
ＣＰＵ３２は、光学ズーム倍率を変更する際にはズームモータを駆動制御して光学ユニット１３に含まれるレンズの焦点距離を変化させる。
【００４４】
また、ＣＰＵ３２は、ＣＣＤ１４による撮像によって得られた画像のコントラスト値が最大となるように上記焦点調整モータを駆動制御することによって合焦制御を行う。すなわち、本実施の形態に係るデジタルカメラ１０では、合焦制御として、読み取られた画像のコントラストが最大となるようにレンズの位置を設定する、所謂ＴＴＬ（Through The Lens）方式を採用している。
【００４５】
更に、前述のレリーズボタン５２Ａ、モード切替スイッチ５２Ｂ、十字カーソルボタン５２Ｃ、ズームスイッチ５２Ｄ、及び電源スイッチ５２Ｅの各種ボタン類及びスイッチ類（図２では、「操作部５２」と総称。）はＣＰＵ３２に接続されており、ＣＰＵ３２は、これらのボタン類及びスイッチ類に対する操作状態を常時把握できる。
【００４６】
また、本実施の形態に係るデジタルカメラ１０には、電源回路５４と電池５６が備えられており、電源回路５４は、ＣＰＵ３２による制御の下に、電池５６から入力された電力に基づいて適切な作動用の電力を生成して各部に供給する。なお、錯綜を回避するために、同図では、電源回路５４から電力が供給される各部への接続線の図示を省略している。
【００４７】
また、本実施の形態にかかるデジタルカメラ１０には、生体情報検出センサ９８と、生体情報検出センサ９８からの出力をＣＰＵ３２において取扱うことのできるデータに変換してＣＰＵ３２に入力する変換部９６と、が備えられている。本実施の形態では、生体情報検出センサ９８として、網膜まで到達可能な近赤外線を人の眼に向かって照射して、網膜から反射された光を入射させて解析することにより網膜パターンを取得する、網膜パターン検出センサが適用されている。
【００４８】
当該生体情報検出センサ９８は、デジタルカメラ１０のケーシング内部に設けられると共に、ファインダ７０の接眼部近傍に配置されており、ファインダ７０の接眼部に近付けられた使用者の網膜パターンを検出することが可能となっている。
【００４９】
このようにして生体情報検出センサ９８によって検出された網膜パターンは、後述する生体情報登録処理及び使用者別設定処理に用いられる。
【００５０】
次に、本実施の形態に係るデジタルカメラ１０の作用を説明する。まず、撮影モードが設定されている場合におけるデジタルカメラ１０の被写体像を示す信号の処理を中心とした動作の概要を説明する。
【００５１】
まず、ＣＣＤ１４による被写体像の光学ユニット１３を介した撮像が行なわれ、被写体像を示す信号がＣＣＤ１４からＣＤＳ１６に順次出力される。
【００５２】
ＣＤＳ１６は、ＣＣＤ１４から入力された信号に対して相関二重サンプリング処理を施し、これによって得られたＲ（赤）、Ｇ（緑）、Ｂ（青）のアナログ画像信号を順次ＡＤＣ１８に出力する。
【００５３】
そして、ＡＤＣ１８は、ＣＤＳ１６から入力されたＲ、Ｇ、Ｂのアナログ画像信号を各々１２ビットのＲ、Ｇ、Ｂ信号（デジタル画像データ）に変換して画像入力コントローラ２０に出力する。
【００５４】
画像入力コントローラ２０は内蔵しているラインバッファにＡＤＣ１８から順次入力されるデジタル画像データを蓄積して一旦第２メモリ４０の所定領域に格納する。
【００５５】
第２メモリ４０の所定領域に格納されたデジタル画像データは、ＣＰＵ３２による制御下で画像信号処理回路２２によって読み出され、これにＡＥ・ＡＷＢ検出回路３６により検出された物理量（測光データ）に応じたデジタルゲインをかけることでホワイトバランス調整を行なうと共に、ガンマ処理及びシャープネス処理を行なって８ビットのデジタル画像データを生成し、更にＹＣ信号処理を施して輝度信号Ｙとクロマ信号Ｃｒ、Ｃｂ（以下、「ＹＣ信号」という。）を生成し、当該ＹＣ信号を第２メモリ４０の上記所定領域とは異なる領域に格納する。
【００５６】
なお、ＬＣＤ３０は、ＣＣＤ１４による連続的な撮像によって得られた動画像（スルー画像）を表示してファインダとして使用することができるものとして構成されているが、このようにＬＣＤ３０をファインダとして使用する場合には、生成したＹＣ信号を、ビデオ／ＬＣＤエンコーダ２８を介して順次ＬＣＤ３０に出力する。これによってＬＣＤ３０にスルー画像が表示されることになる。
【００５７】
ここで、レリーズボタン５２Ａがユーザによって半押し状態とされたタイミングで、撮像系において前述したようにＡＥ機能が働いて露出状態が設定された後、ＡＦ機能が働いて合焦制御され、その後、引き続き全押し状態とされたタイミングで、その時点で第２メモリ４０に格納されているＹＣ信号を、圧縮・伸張処理回路２４によって所定の圧縮形式（本実施の形態では、ＪＰＥＧ形式）で圧縮した後にメディアコントローラ４２を介して記録メディア４３に記録する。
【００５８】
ところで、本実施の形態に係るデジタルカメラ１０では、使用者の生態情報を登録することができるようになっており、使用者毎にパラメータを設定すると共に、実行可能な動作を制限する機能を有している。
【００５９】
デジタルカメラ１０では、使用者の生体情報が未登録である状態で電源が投入されるか、又はユーザにより生体情報を登録する機能の実行が選択された場合、生体情報登録処理を実行する。
【００６０】
以下、図３を参照して本実施の形態に係る生体情報登録処理について説明する。なお、図３は、生体情報登録処理の実行時にＣＰＵ３２において実行される生体情報登録処理プログラムの処理の流れを示すフローチャートである。
【００６１】
ステップ１００では、生体情報検出センサ９８を起動して、網膜パターンの検出を開始する。これにより、生体情報検出センサ９８により検出された使用者の網膜パターンを示す情報が変換部９６を介して生体情報として入力される。
【００６２】
そこで、次のステップ１０２では、生体情報の入力待ちを行ない、次のステップ１０４では、当該生体情報に対応付けて記憶する、予め定められたパラメータ情報及び予め許可された動作を示す情報を生成する。
【００６３】
当該各種情報の生成は、ユーザの操作部５２の操作状態を示す信号に基づいて行なわれ、ユーザによって所定の操作がされたことを示す信号が入力されると、当該各種情報の生成を終了する。
【００６４】
よって、ステップ１０６では、所定の操作信号の入力待ちを行ない、次のステップ１０８では、生体情報と予め定められたパラメータ情報及び予め許可された動作を示す情報とを対応付けて第１のメモリ３８に記憶し、その後に本生体情報登録処理プログラムを終了する。
【００６５】
ここで、図４には、第１のメモリ３８に、生体情報と、予め定められたパラメータ情報及び予め許可された動作を示す情報が対応付けされて記憶された状態を示す模式図が示されている。同図に示されるように、生体情報（本実施の形態では、網膜センサにより検出された網膜パターンを示す情報）が記憶されると共に、当該生体情報を登録した使用者に関するデータとして、それぞれ予めパラメータを示す情報及び許可する動作を示す情報が対応付けされて記憶されている。
【００６６】
また、同図に示されるように、パラメータ情報としては、撮影モード時に設定されるパラメータである画素数やＩＳＯ感度を示す値、ストロボの動作状態に関するストロボモード、シャッター音の有無等のパラメータを示す情報が設定されている。当該パラメータとしては、この他にも、撮影時の露出状態やシャッタースピードに関するパラメータ、シャープネスや彩度等の画像処理に関するパラメータ、日付けの写し込みの有無、デジタルカメラの各種情報の表示に関するパラメータ等、使用者によって設定可能なあらゆるパラメータを含めることができる。なお、当該予め設定されたパラメータ情報としては、使用者によって設定可能なパラメータのうち、ユーザにより予め指定されたパラメータのみを記憶するようにしてもよい。また、ユーザの使用状況に応じて、予め設定されたパラメータを更新するようにしてもよい。
【００６７】
さらに、予め許可する動作は、使用者毎に異ならせることが可能であり、同図に示す例では、使用者１については、撮影、再生、消去、パラメータの変更、生体情報の登録及び消去等の全ての動作を許可している。使用者１がメインユーザである場合、このような設定がなされることで、管理が容易になる。
【００６８】
また、使用者２については、撮影とパラメータの変更は実行可能であるが、画像の再生及び消去については、その対象を使用者２が撮影した画像に限定している。さらに、使用者３については、撮影とパラメータの変更及び使用者３が撮影した画像の再生は許可されているものの、画像の消去については許可されていない。なお、同図に示す例は一例であり、使用者の立場やメインユーザとの関係によって、予め許可する動作を自由に設定できることは言うまでもない。
【００６９】
一方、デジタルカメラ１０では、使用者の生体情報が登録済みである場合に電源が投入されると、使用者毎のパラメータの設定及び実行可能な動作を制限する使用者別設定処理を実行する。
【００７０】
以下、図５を参照して本実施の形態に係る使用者別設定処理について説明する。なお、図５は、使用者別設定処理の実行時にＣＰＵ３２において実行される使用者別設定処理プログラムの処理の流れを示すフローチャートである。
【００７１】
ステップ１１０では、生体情報検出センサ９８を起動して、網膜パターンの検出を開始する。これにより、生体情報検出センサ９８により検出された使用者の網膜パターンを示す情報が変換部９６を介して生体情報として入力される。
【００７２】
そこで、次のステップ１１２では、生体情報の入力待ちを行ない、次のステップ１１４では、前述した生体情報登録処理により第１のメモリ３８に記憶されている生体情報と入力された生体情報とを比較・照合して、ステップ１１６に移行し、入力された生体情報と一致する生体情報が記憶されているか否かを判定する。当該判定が肯定判定となった場合はステップ１１８に移行して、生体情報に対応付けされた情報を読み出す。
【００７３】
次のステップ１２０では、読み出した情報のうち、予め定められたパラメータ情報に基づいて、各種パラメータを設定した後に、ステップ１２２に移行して、読み出した情報のうち、予め許可された動作を示す情報により示される動作のみを実行可能とし、それ以外の動作が指示された場合には、当該指示を無効にするように設定して、その後、本使用者別設定処理プログラムを終了する。
【００７４】
一方、ステップ１１６で否定判定とされた場合には、生体情報が登録されていない使用者であると判断してステップ１２４に移行し、各種パラメータを生体情報の非登録者用に予め定められたパラメータに設定した後に、ステップ１２６に移行して、生体情報の非登録者用に予め定められた動作のみを実行可能とし、それ以外の動作が指示された場合には、当該指示を無効にするように設定して、その後、本使用者別設定処理プログラムを終了する。
【００７５】
ここで、非登録者用に予め定められたパラメータとしては、デジタルカメラ１０の出荷時のパラメータ等を適用することができる。また、非登録者用に予め定められた動作については、ユーザにより適時変更可能に構成することで、利便性が向上するが、出荷時に予め定めておいてもよい。なお、非登録者用に予め定められた動作としては、撮影、パラメータ変更等、一時的にデジタルカメラを使用する場合に必要最低限の動作を適用することができる。
【００７６】
以上詳細に説明したように、本実施の形態によれば、ＣＣＤ１４により被写体像を示す画像情報を取得して記録メディア４３に記録するに際し、予め定められた種類の生体情報としての網膜パターンと当該生体情報に対応する使用者により予め定められたパラメータ情報とを対応付けして予め記憶しておき、前記予め定められた種類の生体情報を生体情報検出センサ９８により検出し、検出された前記生体情報と記憶された前記生体情報とを比較して、検出された前記生体情報が第１メモリ３８に記憶されているか否かを判定すると共に、記憶されていると判定された場合、当該生体情報に対応付けされて記憶されている前記パラメータ情報に応じてパラメータを設定するようにしているので、利便性を向上させることができる。
【００７７】
また、本実施の形態によれば、第１メモリ３８を、前記生体情報と対応付けされて予め許可された動作を示す情報がさらに記憶されたものとし、検出された前記生体情報が第１メモリ３８に記憶されていると判断された場合、前記予め許可された動作のみが実行できるように制御することもできる。これにより、使用者毎に実行可能な動作を限定することができ、利便性を向上させるだけでなく、プライバシーを保護することができる。
【００７８】
さらに、本実施の形態によれば、生体情報が記憶されていないと判断された場合は、予め定められた動作のみを実行できるようにするものとし、検出された前記生体情報が第１メモリ３８に記憶されていないと判断された場合は、予め定められたパラメータを設定するものとすることもできる。これにより、予め定められた動作に限っては、生体情報を第１メモリ３８に記憶させていない人物も使用することができるので、使用する人物全員の生体情報を記憶しておく必要がなく、生体情報及び対応付けされた情報を記憶する手間やこれらの情報の記憶容量が少なくて済み、利便性が向上する。
【００７９】
なお、本実施の形態では、前記予め定められた種類の生体情報として、網膜パターンを適用した形態について説明したが、本発明はこれに限定されるものではなく、網膜パターン、虹彩パターン、指紋及び声紋の少なくとも１つを示す情報とすることができる。
【００８０】
例えば、虹彩パターンを適用する場合、生体情報検出センサ９８として虹彩パターンを示す情報を取得可能な虹彩検出センサを適用することができ、網膜センサと同様、デジタルカメラ１０のケーシング内部であってファインダ７０接眼部の近傍に設置すればよい。また、指紋を適用する場合には、生体情報検出センサ９８として指紋センサや感圧センサ等を適用することができ、デジタルカメラ１０のグリップ（撮影時に把持する部位）に当該指紋センサや感圧センサ等を設ければよい。さらに、声紋を適用する場合には、生体情報検出センサ９８としてアンプ８４及び音声入力処理部８２がデジタルカメラに備えられている場合にはこれを適用することができる。
【００８１】
この他にも、生体情報として、人相や手相を適用することもできる。この場合、使用者の顔や掌を撮影し、これらの特徴を示す情報と一致するか否かを判断することができる。
【００８２】
なお、これらの生体情報を数種類組み合わせて適用することにより、精度よく使用者の設定を行うことができることは言うまでもない。
【００８３】
また、本実施の形態では、デジタルカメラ１０本体に備えられた第１メモリに生体情報を記憶すると共に、当該生体情報に予め定められたパラメータ情報及び予め許可された動作を示す情報を対応付けて記憶する形態について説明したが、本発明はこれに限定されるものではない。例えば、これらの情報をデジタルカメラ１０本体に着脱可能な記録メディア４３に記録すように構成してもよい。これにより、デジタルカメラ１０本体に備えられたメモリの記憶容量を使用せずに生体情報等を記憶させることができるので、利便性が更に向上する。また、記録メディア４３に生体情報が記憶された使用者のみが当該記録メディア４３を使用することが可能となるため、記録メディア４３に記憶された画像情報の守秘性も向上させることができる。
【００８４】
なお、本実施の実施の形態で説明したフローチャート（図３及び図４参照）の処理の流れは一例であり、本発明の主旨を逸脱しない範囲内において適宜変更可能であることは言うまでもない。
【００８５】
さらに、以上のデジタルカメラ１０の構成（図１、図２参照）は一例であり、本発明の主旨を逸脱しない範囲内において適宜変更可能であることは言うまでもない。
【図面の簡単な説明】
【００８６】
【図１】実施の形態に係るデジタルカメラの外観を示す外観図である。
【図２】実施の形態に係るデジタルカメラの電気系の主要な構成を示すブロック図である。
【図３】実施の形態に係る生体情報登録処理プログラムの処理の流れを示すフローチャートである。
【図４】実施の形態に係る生体情報、予め定められたパラメータ情報及び予め許可された動作を示す情報が第１メモリに記憶された状態を模式的に示す説明図である。
【図５】実施の形態に係る使用者別設定処理プログラムの処理の流れを示すフローチャートである。
【符号の説明】
【００８７】
１０    デジタルカメラ
１４    ＣＣＤ（撮像素子）
３２    ＣＰＵ（判定手段、設定手段、制御手段）
３８    第１メモリ（記憶手段）
４３    記録メディア（記録媒体、記憶手段）
９８    生体情報検出センサ（検出手段）
【図１】
2005236794.tif 000003
【図２】
2005236794.tif 000004
【図３】
2005236794.tif 000005
【図４】
2005236794.tif 000006
【図５】
2005236794.tif 000007